(57)【要約】      （修正有）【課題】開封後に再封されたときの表示が外から視認可能になり、複数段に重ねて保管されたときでも表示が誤認されにくい表示付き包装箱を提供する。【解決手段】組み立て状態で角筒体を形成する側面板１４，１６，１８，２０を備える。側面板２０の連接方向に対して直角方向の端部に延設され、角筒体の一方の端部を塞ぐ蓋部となる蓋片５８を備える。蓋片５８の側端部に延設され、補助折罫線６８で蓋片５８と区切られた補助片６６を備える。補助片６６は、補助折罫線６８で折られて蓋片５８に重ねられると蓋片５８の中に収まる大きさである。補助折罫線６８側の端部に、補助折罫線６８と補助破断線７０とで他の部分と区切られた表示部７２を備える。開封後、表示部７２を蓋片５８から引き離した状態で再封されると、表示部７２が側面板１４の外側に吊り下がる。【選択図】図２
0003199797.tif 000002
【実用新案登録請求の範囲】
【請求項１】
一枚のブランクシートから一体的に打ち抜かれた箱体形成片から成り、
この箱体形成片は、互いに平行に連接され、組み立て状態で角筒体を形成する複数の側面板と、前記複数の側面板の中の一側面板の、前記連接方向に対して直角方向の端部に延設され、組み立て状態で前記角筒体の一方の端部を塞ぐ蓋部となる蓋片と、前記蓋片の側端部に延設され、補助折罫線で前記蓋片と区切られた補助片とを有し、
前記補助片は、前記補助折罫線で折られて前記蓋片に重ねられると前記蓋片の中に収まる大きさであり、前記補助片に表示部が設けられ、この表示部には所定の表示が設けられ、
組み立て状態で、前記補助片が前記補助折罫線で折り曲げられ、前記蓋部が開封された後、使用者が前記表示部を前記一側面板の外側に吊り下がるように引き出すことにより、前記表示部が視認可能になることを特徴とする表示付き包装箱。
【請求項２】
前記表示部は、前記補助折罫線と補助破断線とで他の部分と区切られ、前記補助片の前記表示部以外の部分が前記蓋片の内側面に糊付けされ、
使用者が前記表示部を引き上げて前記補助破断線を破断させ、前記表示部を前記蓋片から離間させた状態で前記蓋部を閉鎖すると、前記表示部が前記一側面板の外側に吊り下がるように支持される請求項１記載の表示付き包装箱。
【請求項３】
前記補助片の前記表示部には、前記補助折罫線から離れた位置に、前記表示部を指で引き上げるための摘み部が設けられている請求項１記載の表示付き包装箱。
【考案の詳細な説明】
【技術分野】
【０００１】
本考案は、開封済みであること等を示す表示を備えた表示付き包装箱に関する。
【背景技術】
【０００２】
従来、例えば特許文献１に開示されているように、略直方体の箱体であって、組み立て状態で、上蓋の内側に重ねられるサイドフラップの基端部に、サイドフラップと側面板を区切る折罫線とＵ字状の破断線とで囲まれた延長表示部が設けられた包装用箱があった。延長表示部には開封済みを意味する表示がされており、開封前の組み立て状態では、延長表示部が上蓋の内側にあって外から視認できない。開封された後、使用者が破断線を破断し、延長表示部をサイドフラップの内側から引き上げ、延長表示部を箱体の外に引き出した状態でサイドフラップを折り戻し、上蓋を閉じて再封すると、延長表示部の表示が外から視認できる状態になる。
【先行技術文献】
【特許文献】
【０００３】
【特許文献１】登実３１９４８３４号公報
【考案の概要】
【考案が解決しようとする課題】
【０００４】
特許文献１の包装用箱の場合、サイドフラップは、組み立て状態で上蓋の内側に重なるように折り曲げられているため、サイドフラップの基端部の基材（厚紙等）に折り曲げ方向のクセがついており、開封した後、延長表示部をサイドフラップから引き上げ、延長表示部を箱体の外に引き出して再封すると、延長表示部が上蓋よりも上方に起立する状態になる。したがって、例えば、再封された包装用箱が複数段に重ねて保管されたとき、下段の包装用箱の延長表示部が上段の包装用箱の側方に配置されることになり、使用者がこれを見ると、上段の包装用箱が開封済みであると誤認しやすいものである。また、特許文献１に、延長表示部の変形例が複数記載されているが、いずれもこの問題を解決できるものではない。
【０００５】
本考案は、上記背景技術に鑑みて成されたものであり、開封済み等の表示が外から視認可能になり、複数段に重ねて保管されたときでも表示が誤認されにくい表示付き包装箱を提供することを目的とする。
【課題を解決するための手段】
【０００６】
本考案は、一枚のブランクシートから一体的に打ち抜かれた箱体形成片から成り、この箱体形成片は、互いに平行に連接され、組み立て状態で角筒体を形成する複数の側面板と、前記複数の側面板の中の一側面板の、前記連接方向に対して直角方向の端部に延設され、組み立て状態で前記角筒体の一方の端部を塞ぐ蓋部となる蓋片と、前記蓋片の側端部に延設され、補助折罫線で前記蓋片と区切られた補助片とを有し、
前記補助片は、前記補助折罫線で折られて前記蓋片に重ねられると前記蓋片の中に収まる大きさであり、前記補助片に表示部が設けられ、この表示部には所定の表示が設けられ、
組み立て状態で、前記補助片が前記補助折罫線で折り曲げられ、前記蓋部が開封された後、使用者が前記表示部を前記一側面板の外側に吊り下がるように引き出すことにより、前記表示部が視認可能になる表示付き包装箱である。
【０００７】
前記表示部は、前記補助折罫線と補助破断線とで他の部分と区切られ、前記補助片の前記表示部以外の部分が前記蓋片の内側面に糊付けされ、使用者が前記表示部を引き上げて前記補助破断線を破断させ、前記表示部を前記蓋片から離間させた状態で前記蓋部を閉鎖すると、前記表示部が前記一側面板の外側に吊り下がるように支持されるものである。
【０００８】
前記補助片の前記表示部には、前記補助折罫線から離れた位置に、前記表示部を指で引き上げるための摘み部が設けられていることが好ましい。
【考案の効果】
【０００９】
本考案の表示付き包装箱は、例えば開封済みであることを示す表示が外から容易且つ確実に視認可能になる。しかも、表示部が箱体の側面に吊り下がるような状態になるので、箱体を複数段に重ねて保管されたときでも、どの箱体に関する表示なのかが非常に分かりやすく、使用者が誤認しにくいものである。また、表示部の所定位置に摘み部を設けることによって、表示部を蓋片から引き上げる操作を容易にすることができる。
【図面の簡単な説明】
【００１０】
【図１】本考案の表示付き包装箱の一実施形態の組み立て状態を示す斜視図である。
【図２】この実施形態の表示付き包装箱の箱体形成片を裏面側から見た展開図（ａ）、補助片の周辺を表面側から見た拡大図（ｂ）である。
【図３】図２の箱体形成片の組み立て工程を示す図である。
【図４】図２の箱体形成片の組み立て工程を示す図である。
【図５】図２の箱体形成片の組み立て工程を示す図である。
【図６】この実施形態の包装箱の蓋部を開封した状態を示す斜視図である。
【図７】この実施形態の包装箱の蓋部を再封した状態を示す斜視図である。
【考案を実施するための形態】
【００１１】
以下、本考案の表示付き包装箱の一実施形態について、図面に基づいて説明する。この実施形態の表示付き包装箱１０は、図１に示すように、略直方体の箱体であり、厚紙等の一枚のブランクシートを一体的に打ち抜いた箱体形成片１２を組み立てることによって形成される。
【００１２】
図２（ａ）は、箱体形成片１２を裏面側から見た図であり、箱体形成片１２は、互いに平行に連接された４つの側面板１４，１６，１８，２０を有している。４つの側面板１４，１６，１８，２０は、連接方向と直交する幅方向の長さが同じであり、連接方向の長さは側面板１４，１８が短くて互いにほぼ等しく、側面板１６，２０が長くて互いにほぼ等しい。さらに、連接方向の側面板２０側の端部には、包装用箱１０の組み立て状態で側面板１４の裏面の端部に糊付けされる糊付け片２２が設けられている。４つの側面板１４，１６，１８，２０及び糊付け片２２は、各々折罫線２４，２６，２８，３０で区切られている。
【００１３】
側面板１４の、連接方向に対して直角方向の一端部には、サイドフラップ３２が延設され、折罫線３４で側面板１４と区切られている。側面板１４の他端部には、サイドフラップ３６が延設され、折罫線３８で側面板１４と区切られている。
【００１４】
側面板１６の、折罫線３４に連続する端辺４０の内側には、指で押圧可能な大きさの開封部４２が設けられている。開封部４２は、端辺４０の中央部とＵ字状の破断線４４に囲まれて周囲と区切られている。また、側面板１６の他端部には、台形状の内側底片４６が延設され、折罫線４８で側面板１６と区切られている。内側底片４６の大きさは、後述する外側底片７８よりも僅かに小さい。
【００１５】
側面板１８の、端辺４０に連続する端部には、サイドフラップ５０が延設され、折罫線５２で側面板１８と区切られている。側面板１８の他端部には、サイドフラップ５４が延設され、折罫線５６で側面板１８と区切られている。
【００１６】
側面板２０の、折罫線５２に連続する端部には、略長方形の蓋片５８が延設され、折罫線６０で側面板２０と区切られている。蓋片５８の延出方向長さは、側面板１４，１８の連接方向長さとほぼ同じである。蓋片５８の先端部には、差し込み片６２が延設され、折罫線６４で蓋片５８と区切られて設けられている。
【００１７】
さらに、蓋片５８の糊付け片２２側の側端部には補助片６６が延設され、補助折罫線６８で蓋片５８と区切られている。補助片６６の外形は略四角形で、補助折罫線６８で折り曲げて蓋片５８に重ねると蓋片５８の中に収まる大きさである。補助片６６の補助折罫線６８側の端部には、補助折罫線６８とＵ字状の補助破断線７０とで囲まれた表示部７２が設けられ、この表示部７２の表面には、図２（ｂ）に示すように、「開封済」の文字が印刷されている。補助片６６の中の表示部７２以外の部分を本体部７４として、本体部７４と表示部７２の先端部分（補助折罫線６４と反対側の部分）とが対向する間の位置に、略楕円形の透孔７６が設けられ、表示部７２の先端部分が、指を引っ掛ける摘み部７２ａになっている。
【００１８】
また、側面板２０の蓋片５８と反対側の端部には、台形状の外側底片７８が延設され、折罫線８０で側面板２０と区切られている。外側底片７８の延出方向長さは、側面板１４，１８の連接方向長さと同じか、又は僅かに短い。
【００１９】
次に、表示付き包装箱１０の組み立て方法の一例を説明する。ここでは、箱体形成片１２の表面が凸になる折り方を正折り、そして裏面が凸になる折り方を逆折りと称する。
【００２０】
まず、図３に示すように、補助片６６の本体部７４の裏面に糊８２を塗布した後、図４に示すように、折罫線６８を正折りして補助片６６を蓋片５８に重ね、本体部７４を蓋片５８の裏面に糊付けする。さらに、折罫線３０を正折りして糊付け片２２を側面板２０に重ね、糊付け片２２の表面に糊８４を塗布する。
【００２１】
そして、図５に示すように、折罫線２６を正折りして側面板１４，１６を側面板１８，２０に重ね、糊付け片２２を側面板１４の裏面の端部に糊付けする。箱体形成片１２は、この折り畳まれた状態で出荷される。
【００２２】
次に、商品等の収容物を包装する工場等で立体的に組み立てる。まず、折罫線２４，２６，２８，３０を各々９０度に正折りし、四角形の角筒体８６を形成する。その後、角筒体８６の一端部を塞ぐ底部を設けるため、折罫線３８，５６でサイドフラップ３６，５４を各々９０度に正折りし、折罫線４６で内側底片４６を９０度に正折りする。その後、外側底片７８のほぼ中央部に糊を塗布し、折罫線８０で外側底片７８を９０度に正折りし、外側底片７８を内側底片４６の表面に糊付けし、外側底片７８と内側底片４６が一体になった底部が形成される。これで角筒体８６に一端部が閉鎖されたので、開放している側の端部から中に収容物を入れる。
【００２３】
次に、角筒体８６の開放している側の端部を塞ぐため、折罫線３４，５２でサイドフラップ３２，５０を各々９０度に正折りし、差し込み片６２の表面中央部に糊を塗布する。そして、折罫線６０で蓋片５８を９０度に正折りし、折罫線６４で差し込み片６２を９０度に正折りし、差し込み片６２を側面板１６の内側に差し込んで開封部４２の裏面に糊付けし、蓋部が形成される。これで商品の包装作業が終了して図１に示す組み立て状態となり、この状態で出荷されて商店等で販売される。組み立て状態では、表示部７２が箱体内にあるので、「開封済」の表示は外から見えない。
【００２４】
使用者が表示付き包装箱１０の蓋部を開封するときは、まず、側面板１６の開封部４２を指で押して破断線４４を破断させ、開封部４２を側面板１６から分離させる。そして、差し込み片６２及び蓋片５８を引き上げ、サイドフラップ３２，５０を引き上げると、蓋片５８で塞がれていた角筒体８６の一端部が開放し、中の収容物を取り出すことができる。開封部４２は、側面板１６から分離するが、差し込み片６２に糊付けされているのでゴミにはならない。
【００２５】
蓋部を開封した後、図６に示すように、蓋片５８の裏面側の補助片６６の透孔７６に指を入れて摘み部７２ａを摘まみ、表示部７２を引き上げて補助破断線７０を破断させる。そして、正折りされている折罫線６８を９０度より広い角度に開き、表示部７２を蓋片５８から大きく離間させる。
【００２６】
その後、開封した蓋部を再封するとき、まず、サイドフラップ３２，５０を９０度に正折りし、表示部７２が蓋片５８から大きく離間している状態で蓋片５８を９０度に正折りし、差し込み片６２を側面板１６とサイドフラップ３２，５０との隙間に差し込んで係合させ、角筒体８６の一端部を閉鎖する。すると、図７に示すように、表示部７２が側面板１４の外側に吊り下がるように支持され、表面に印刷された「開封済」の表示が現れる。表示部７２が吊り下がるように支持されるのは、補助片６６の折罫線６８が組み立て状態で正折りされ、表示部７２の基端部の基材（厚紙等）に折り曲げ方向のクセがついているからであり、表示部７２は、蓋片５８よりも上方に起立せず、下向きに吊り下げられた状態になる。
【００２７】
以上説明したように、表示付き包装箱１０は、開封後に再封されたとき、表示部７２に印刷された「開封済」の表示が外から視認可能になり、蓋部が開封されたことを確実に示すことができる。しかも、表示部７２が側面板１４の外側面と略平行に吊り下がるような状態になるので、箱体を複数段に重ねて保管されたときでも、開封された包装箱の側面に表示部７２が位置し、どの箱体に関する表示なのかが非常に分かりやすく、使用者が誤認しにくいものである。また、表示部７２に摘み部７２ａが設けられているので、表示部７２を蓋片５８から引き上げる操作が容易である。
【００２８】
なお、本考案の包装箱は、上記実施形態に限定されるものではない。表示内容は、上記実施形態の開封済み以外に、内容物の表示や注意事項、開封に伴う注意事項であっても良い。さらに、開封済み等であること示す表示は、「開封済」の文字を印刷する以外に、表示部に絵柄を印刷して表示する方法、表示部を着色することによって表示する方法、表示部の形状デザインによって表示する等、他の方法で設けてられてもよい。
【００２９】
補助片の表示部以外の部分（上記本体部７４に相当する部分）は、組み立て状態で蓋片に糊付けされ、表示部が蓋片の裏面から離れてブラブラしないように保持する働きをする部分であり、この部分の形状や大きさは、この機能を実現できる範囲で自由に変更することができる。
【００３０】
また、上記実施形態は、４つの側面板１４，１６，１８，２０で四角形の角筒体８６を形成する構成であるが、側面板の数を増減させて四角形以外の角筒体を形成する構成にすることも可能である。
【符号の説明】
【００３１】
１０  表示付き包装箱
１２  箱体形成片
１４，１６，１８，２０  側面板
５８  蓋片（蓋部）
６６  補助片
６８  補助折罫線
７０  補助破断線
７２  表示部
７２ａ  摘み部
８６  角筒体
【図１】
0003199797.tif 000003
【図２】
0003199797.tif 000004
【図３】
0003199797.tif 000005
【図４】
0003199797.tif 000006
【図５】
0003199797.tif 000007
【図６】
0003199797.tif 000008
【図７】
0003199797.tif 000009